(57)【要約】【課題】  デジタル放送される番組に予め設定された画像サイズよりもディスプレイの画像表示領域が小さい場合であっても、表示される画像の視認性を向上させるデジタル放送用表示装置を提供する。【解決手段】  デジタル放送される放送画像２０を表す画像信号を受信する受信手段１６と、放送画像２０から一部の部分画像２１を抜き出し、抜き出した部分画像２１を表示するようにディスプレイ３を制御する制御手段１７とを備える。制御手段１７によって、表示可能な画像サイズに対応した部分画像２１を放送画像２０から抜き出してディスプレイ３に表示させることによって、操作者が所望する部分画像２１を縮小することなく、ディスプレイ３に表示させることができ、表示可能な画像サイズが小さいディスプレイ３であっても、放送画像２０に示される記号および図形などが不鮮明になることを防止して、ディスプレイ３の視認性を向上させることができる。【選択図】      図１
2007110750.tif 000002
【特許請求の範囲】
【請求項１】
デジタル放送される放送画像を表す画像信号を受信する受信手段と、
受信手段が受信した画像信号に基づく放送画像を放送画像データとして記憶する記憶手段と、
画像を表示する表示手段と、
放送画像の画像領域が表示手段の表示可能領域を超える場合、記憶手段に記憶される放送画像データに基づき、表示手段の表示可能領域分の部分画像に対応する部分画像を生成し、表示するように表示手段を制御する制御手段とを備えることを特徴とするデジタル放送用表示装置。
【請求項２】
前記制御手段は、生成した部分画像を表示する部分表示状態と、放送画像を縮小して表示手段の表示可能領域に放送画像全体を表示する全体表示状態とに、表示状態を切換えるように表示手段を制御することを特徴とする請求項１記載のデジタル放送用表示装置。
【請求項３】
前記制御手段は、表示されている部分画像の放送画像における位置の情報を表示するように、表示手段を制御することを特徴とする請求項１又は２に記載のデジタル放送用表示装置。
【請求項４】
前記受信手段は、画像信号に対応付けて放送される文字信号を受信し、
前記記憶手段は、受信手段が受信した文字信号を文字データとして記憶し、
前記制御手段は、放送画像の画像領域を縮小して表示手段の表示可能領域に放送画像全体を表示する全体表示状態で表示可能であり、全体表示状態で表示する場合に、文字データの表すキャラクタの表示サイズを、受信時に予め設定された表示サイズで表示するように、表示手段を制御することを特徴とする請求項１〜３のいずれか１項に記載のデジタル放送用表示装置。
【請求項５】
文字データの表すキャラクタの表示サイズを、受信時に予め設定された表示サイズと、放送画像の画像領域に基づいて変換される表示サイズとのいずれかを選択する指令を入力する入力手段をさらに備え、
前記制御手段は、指令される表示サイズでキャラクタを表示するように、表示手段を制御することを特徴とする請求項２〜４のいずれか１項に記載のデジタル放送用表示装置。
【請求項６】
デジタル放送される放送画像を表す画像信号を受信する受信手段と、
受信手段が受信した画像信号に基づく放送画像を放送画像データとして記憶する記憶手段と、
放送画像の画像領域が表示手段の表示可能領域を超える場合、記憶手段に記憶される放送画像データに基づき、表示手段の表示可能領域分の部分画像に対応する部分画像を生成し、表示するように表示手段を制御する制御手段とを備えることを特徴とするデジタル放送用表示制御装置。
【発明の詳細な説明】
【技術分野】
【０００１】
本発明は、たとえばデジタル放送を受信し、受信したデジタル放送における静止画像を車両に搭載されるディスプレイに表示させる際に好適に用いられるデジタル放送用表示装置に関する。なお本発明において、データ放送番組は、静止画像、文字または電子番組案内（Electronic Program Guide、略称  ＥＰＧ）などによって表される番組を含む。
【背景技術】
【０００２】
アナログ信号によって映像情報および音声情報などを放送するアナログ放送に比べて、高品質な映像および音声を放送可能でかつ、多機能な放送が可能なデジタル放送が普及しつつある。デジタル放送は、放送衛星を用いるＢＳデジタル放送が２０００年に開始されたことに続いて、地上アンテナを用いた地上波デジタル放送が２００３年に開始される予定である。
【０００３】
図１２は、デジタル放送される放送波７０に含まれる番組信号を示す図である。デジタル放送される放送波７０には、放送される番組を表す番組信号を複数含み、多重化されて放送される。たとえば１つの放送波７０には、動画映像および音声を送る複数のテレビ番組信号７１のほかに、音声を送るラジオ番組信号７３およびデータ放送番組を表すデータ放送番組信号７２などの複数の番組信号を含んで放送される。データ放送番組を表すデータ放送番組信号７２は、たとえば静止画像を表す静止画像信号７４と、文字または記号などのフォントからなるキャラクタを表す文字信号７５を含み、静止画像信号７４と文字信号７５とが対応付けられて放送される。
【０００４】
デジタル放送される番組を表示する車両搭載用のディスプレイは、設置位置が定められる家庭用などのディスプレイに比べて小型および軽量に構成され、表示可能な画像領域が小さい。車両搭載用などの小型のディスプレイでは、表示される画像および文字が小さくなり、番組内容を認識することが困難となり視認性が低くなるという問題がある。また走行中にはディスプレイが振動することによって、さらに視認性が低くなるという問題がある。
【発明の開示】
【発明が解決しようとする課題】
【０００５】
データ放送番組は、放送される画像の画像領域の大きさが番組毎に異なる。たとえば４２０×２４０ドット、９６０×５４０ドット、１２８０×７２０ドット、１９２０×１０８０ドットなどの一画面当たりの画素数が異なる画像データを表す画像信号を放送する。たとえば大きい画像サイズの画像は、家庭用などの大型のディスプレイに表示させる目的で放送される。
【０００６】
デジタル放送用表示装置は、大型のディスプレイで表示するような大きな画像サイズの画像を表す画像信号を受信して、携帯用および車両搭載用などの小型のディスプレイで表示することがある。たとえば９６０×５４０ドットの画像サイズで放送される画像を、表示可能な画像領域の画素数が４２０×２４０ドットのディスプレイで表示させる場合、主走査方向および副走査方向に縮小した縮小画像に変換して表示する。デジタル放送用表示装置は、たとえば縮小前の画像を構成する複数の画素のうち、隣接する画素に対して明度、色相および彩度などの色情報の平均値をそれぞれ算出し、この平均値に基づいて縮小画像を生成する。
【０００７】
縮小画像を表示する場合、縮小前の画像を構成する画素の色情報の平均値に基づいて縮小するので表示される画像が不鮮明となる。また画像が縮小されて表示されるので、ディスプレイに示される記号、図形および文字などが小さくなる。上述するようにディスプレイの表示可能領域よりも、デジタル放送される番組の画像サイズが大きい場合には、表示される画像が不鮮明になるとともに文字などが小さくなり、表示される画像の視認性が低くなるという問題がある。
【０００８】
従来、デジタル放送される番組の視認性を向上するための装置が開示されている。たとえば特開２００１−２４９６１号公報には、デジタル放送される番組信号を受信して、ディスプレイに電子番組案内情報を表示させ、電子番組案内情報に示される各番組のうち、操作者が選んだ所定部分を拡大表示する装置が開示されている。この装置は、静止画像のうち所定部分を操作者が選択するために、初期画像として静止画像全体を表示する必要がある。初期画像では静止画像全体を表示するので、各所定部分が小さく表示されてしまい、拡大したい所定部分を操作者が視認することが困難となるという問題がある。
【０００９】
また特開２００１−２９５５２７号公報には、デジタル放送される番組信号を受信するとともに、放送される画像の画像サイズの一部分を抜き出し、抜き出した部分を拡大縮小して表示するスケーリング手段を有する装置が開示されている。この装置は、受信した番組の画像サイズがディスプレイ表示可能な表示領域よりも大きい場合は、縮小して表示するので、画像が不鮮明になるとともに文字などが小さくなり、視認性が低下するという問題がある。また予め定められる一部分のみを拡大縮小するので視認したい場所を選択して鮮明に表示することができない。
【００１０】
また特開２００１−１６５２１号公報には、デジタル放送される番組信号を受信して、表示する画像の画像サイズに基づいて、文字のサイズを変更してディスプレイに表示させる装置が開示されている。また特開平１１−２６１５０９号公報には、デジタル放送される番組信号を受信して、放送される映像番組の内容を付加した電子番組案内を表示させる装置が開示されている。また特開平９−９３５４８号公報には、デジタル放送される番組信号を受信して、放送される番組を表示させる部分とは異なる無画部に、放送される番組に対応して放送される文字を拡大して表示させる装置が開示されている。これらの装置であっても、受信する番組の画像サイズが大きい場合での視認性が低いという問題がある。
【００１１】
したがって本発明の目的は、デジタル放送される番組に予め設定された画像サイズよりもディスプレイの画像表示領域が小さい場合であっても、表示される画像の視認性を向上させるデジタル放送用表示装置を提供することである。
【課題を解決するための手段】
【００１２】
本発明は、デジタル放送される放送画像を表す画像信号を受信する受信手段と、受信手段が受信した画像信号に基づく放送画像を放送画像データとして記憶する記憶手段と、画像を表示する表示手段と、放送画像の画像領域が表示手段の表示可能領域を超える場合、記憶手段に記憶される放送画像データに基づき、表示手段の表示可能領域分の部分画像に対応する部分画像を生成し、表示するように表示手段を制御する制御手段とを備えることを特徴とするデジタル放送用表示装置である。
【００１３】
本発明に従えば、受信手段によって、デジタル放送される放送画像を表す画像信号を受信し、記憶手段に画像信号を放送画像データとして記憶する。また制御手段によって、記憶手段から読み出した部分画像データの表す部分画像を表示手段に表示させる。デジタル放送される放送画像の画像領域よりも表示手段の表示可能な領域が小さい場合であっても、放送画像データの一部分である部分画像データを読み出すことによって、放送画像の一部分を抜き出して表示させることができる。これによって放送画像を縮小することなく表示手段に表示させることができる。さらに放送画像から抜き出す抜き出し部分を変更することで、放送画像における任意の部分の部分画像を表示手段に表示させることができる。
【００１４】
したがって、デジタル放送される番組の画像サイズが、表示手段が表示可能な表示領域のサイズを超える場合であっても、操作者が所望する部分の部分画像を縮小することない。これによって画像が不鮮明になることを防止するとともに画像に示される記号および図形などを大きく表示させることができ、表示手段の視認性を向上させることができる。
【００１５】
また本発明は、生成した部分画像を表示する部分表示状態と、放送画像を縮小して表示手段の表示可能領域に放送画像全体を表示する全体表示状態とに、表示状態を切換えるように表示手段を制御することを特徴とする。
【００１６】
本発明に従えば、部分表示状態と全体表示状態との表示状態を切換えて、画像を表示手段に表示させる。これによって操作者の好みに応じて、表示状態を切換えることができ、利便性を向上させることができる。また全体表示状態と部分表示状態を切換えることによって、放送画像のうちのどの部分を抜き出して部分画像を表示したかを操作者に理解させることができ、部分画像に対する操作者の理解度を向上させるように表示させることができる。
【００１７】
また表示状態の切換えは、手動で行っても制御手段が行ってもよい。たとえば部分表示状態で表示させた後に全体表示状態で表示してもよく、部分表示状態で表示される部分画像を順に移り変えて、放送画像の全画素が少なくとも一度表示させた後に、全体表示状態で表示させてもよい。また部分表示状態と全体表示状態とを周期的に繰り返してもよく、また全体表示状態で表示した後に部分表示状態で表示してもよい。
【００１８】
また本発明は、表示されている部分画像の放送画像における位置の情報を表示するように、表示手段を制御することを特徴とする。
【００１９】
本発明に従えば、放送画像に対してどの部分の部分画像を抜き出しているかを表示手段に表示する。たとえば数値表示する。これによって操作者に現在表示されている部分画像が放送画像に対してどの部分を抜き出しているかを操作者に知らせることができ、操作者の画像の理解度を向上させることができる。
【００２０】
また数値表示以外に、放送画像に対してどの部分の部分画像を抜き出しているかを簡略図で表示手段に表示してもよい。図によって示すことによって操作者に現在表示されている部分画像が放送画像に対してどの部分を抜き出しているかを、視覚的に操作者に知らせることができ、操作者の画像の理解度をさらに向上させることができる。
【００２１】
また本発明は、受信手段は画像信号に対応付けて放送される文字信号を受信し、記憶手段は受信手段が受信した文字信号を文字データとして記憶し、制御手段は放送画像の画像領域を縮小して表示手段の表示可能領域に放送画像全体を表示する全体表示状態で表示可能であり、全体表示状態で表示する場合に、文字データの表すキャラクタの表示サイズを、受信時に予め設定された表示サイズで表示するように、表示手段を制御することを特徴とする。
【００２２】
本発明に従えば、全体表示状態で表示させる場合、画像とキャラクタとを対応付けて表示し、このキャラクタを受信時に予め設定された表示サイズで表示する。これによって放送画像を表示画面に収まるように縮小して全体表示状態で表示させる場合であっても、放送画像に対してキャラクタが縮小することがなく、視認性を向上させることができる。なお本発明においてキャラクタは、文字および記号を含む。
【００２３】
また本発明は、文字データの表すキャラクタの表示サイズを、受信時に予め設定された表示サイズと、放送画像の画像領域に基づいて変換される表示サイズとのいずれかを選択する指令を入力する入力手段をさらに備え、制御手段は、指令される表示サイズでキャラクタを表示するように、表示手段を制御することを特徴とする。
【００２４】
本発明に従えば、キャラクタを受信時に予め設定された表示サイズで表示するか、放送画像の画像サイズに基づいて変換した表示サイズで表示するかを示す指令に基づいてキャラクタの表示サイズを決定する。
【００２５】
これによってキャラクタの表示サイズを操作者が視認しやすい表示サイズを設定することができ、キャラクタの視認性を向上することができる。
【００２６】
また本発明は、デジタル放送される放送画像を表す画像信号を受信する受信手段と、受信手段が受信した画像信号に基づく放送画像を放送画像データとして記憶する記憶手段と、放送画像の画像領域が表示手段の表示可能領域を超える場合、記憶手段に記憶される放送画像データに基づき、表示手段の表示可能領域分の部分画像に対応する部分画像を生成し、表示するように表示手段を制御する制御手段とを備えることを特徴とするデジタル放送用表示制御装置である。
【００２７】
本発明に従えば、受信手段によって、デジタル放送される放送画像を表す画像信号を受信し、記憶手段に画像信号を記憶する。また制御手段によって、記憶手段から読み出した部分画像データの表す部分画像を表示手段に表示させる。デジタル放送される放送画像の画像領域よりも表示手段の表示可能な領域が小さい場合であっても、放送画像データから部分画像データを読み出すことによって、放送画像の一部分を抜き出して表示させることができる。これによって放送画像を縮小することなく表示手段に表示させることができる。さらに放送画像から抜き出す抜き出し部分を変更することで、放送画像における任意の部分の部分画像を表示手段に表示させることができる。
【発明の効果】
【００２８】
請求項１記載の発明によれば、放送画像の画像サイズを縮小することなく、操作者が視認したい部分画像を表示手段に表示させることができるので、放送画像に示される記号および図形などが縮小によって不鮮明になることを防止することができ、視認性を向上させることができる。これによって表示手段を視認する操作者に、デジタル放送内容を容易に理解させることができる。
【００２９】
請求項２記載の発明によれば、部分表示状態と全体表示状態とを切換えて、表示手段に放送画像を表示させることができるので、操作者の好みに応じて表示手段を切換えることができ、利便性を向上させることができる。また表示状態を切換えることによって、放送画像のうちのどの部分を抜き出して部分画像を表示しているかを、操作者に認識させることができ、部分画像に対する操作者の理解度を向上させることができる。
【００３０】
請求項３記載の発明によれば、操作者に現在表示されている部分画像が放送画像に対してどの部分を抜き出しているかを表示することができるので、操作者は、部分画像が放送画像に対してどの部分を抜き出して表示しているかを見失うことを少なくすることができる。また数値表示することによって正確な数値位置を操作者に知らせることができる。また操作者に現在表示されている部分画像が放送画像に対してどの部分を抜き出しているかを簡略図で知らせることによって、放送画像に対する部分画像のおおよその位置を短時間で確認することができる。
【００３１】
請求項４記載の発明によれば、全体表示状態で表示させる場合、放送画像とキャラクタとを対応付けて表示し、キャラクタを受信時に予め設定される表示サイズで表示する。これによって放送画像を表示画面に収まるように縮小して全体表示状態で表示した場合であっても、放送画像に対してキャラクタが縮小することがなく、視認性を向上させることができる。
【００３２】
請求項５記載の発明によれば、全体表示状態で表示させる場合、放送画像とキャラクタとを対応付けて表示し、キャラクタを受信時に設定される表示サイズで表示するか放送画像の画像サイズに基づいて変換した表示サイズで表示するかを示す指令に基づいてキャラクタのサイズを決定する。
【００３３】
これによってキャラクタの表示サイズを操作者が視認しやすい表示サイズを設定することができ、キャラクタの視認性を向上することができる。
【００３４】
請求項６記載の発明によれば、放送画像の画像サイズを縮小することなく、操作者が視認したい部分画像を表示手段に表示させることができるので、放送画像に示される記号および図形などが縮小によって不鮮明になることを防止することができ、視認性を向上させることができる。これによって表示手段を視認する操作者に、デジタル放送内容を容易に理解させることができる。
【発明を実施するための最良の形態】
【００３５】
図１は、本発明の実施の一形態であるデジタル放送用表示制御装置１を含むデジタル放送用表示装置２の構成を示すブロック図であり、図２は、デジタル放送用表示制御装置１によって制御されるディスプレイの表示状態の移り変わりを示す図であり、時間が経過するとともに図２（１）から図２（３）に進む。
【００３６】
デジタル放送用表示制御装置１（以下単に表示制御装置１という）は、デジタル放送される番組信号のうち、データ放送番組の放送画像を表す画像信号を抽出する。データ放送番組はたとえば天気予報番組、地図情報番組、ニュース番組、電子番組案内を示す番組などであり、放送画像はたとえば静止画像２０である。
【００３７】
デジタル放送は、放送される番組毎にその番組の静止画像２０を構成する画素数が異なる場合がある。したがってディスプレイ３が表示可能な画像領域よりも放送される放送画像の画像サイズのほうが大きい場合がある。図２に示すように、静止画像２０を構成する画素数がｎ１×ｍ１、たとえば９６０×５４０ドット、ディスプレイ３の表示可能な画素数がｎ２×ｍ２、たとえば４２０×２４０ドットである場合、表示制御装置１は、静止画像２０のうちの一部分であり、ｎ２×ｍ２分の画素数の領域（図２に斜線で示す領域）を抜き出し、抜き出した一部分を部分画像２１としてディスプレイ３に表示させる。この部分画像２１を構成する画素の数は、ディスプレイ３一画面に表示可能な画素数となる。複数の画素８０は、マトリクス状に並んで画像を構成し、ディスプレイ３の主走査方向および副走査方向に並ぶ。
【００３８】
表示制御装置１は、部分画像２１として静止画像２０から抜き出す部分を変更可能に設定され、操作者の手動操作または予め定められる表示パターンに従って、部分画像２１をディスプレイ３に表示する。たとえば表示制御装置１は、時間の経過とともに静止画像２０から抜き出す部分画像２１を順に移り変えて、部分画像２１をディスプレイ３に表示させる。表示制御装置１が、静止画像２０に対して抜き出す部分画像２１を、静止画像２０の一方向Ｈ１に順に移り変えることによって、静止画像２０内の定位置に示される表示対象２２は、一方向Ｈ１とは反対方向Ｈ２に移動するように、ディスプレイ３に表示される。
【００３９】
表示制御装置１は、図１に示すようにデジタル放送用表示装置２を構成し、デジタル放送用表示装置２は、たとえば車載用テレビジョン受信機を構成する。車載用デジタル放送用表示装置２は、デジタル放送される番組信号を受信し、車載用ディスプレイ３に受信した番組信号の表す画像を表示させる。デジタル放送される番組信号は、雑音が生じることが少ない。したがって表示制御装置１は、車両が移動中および周囲に建造物が並ぶ場合であっても、番組信号を確実に受信して、乱れの少ない画像をディスプレイ３に表示させることができる。
【００４０】
デジタル放送受信表示システム２は、放送衛星および地上アンテナから送信されるデジタル放送波を捕捉するアンテナ４と、捕捉したデジタル放送波から表示させる番組を表す番組信号を受信し、番組信号から画像データを生成して画像をディスプレイ３に表示させる表示制御装置１と、表示制御装置１から与えられる画像データに基づいて画像を表示するディスプレイ３と、音声を発生させるスピーカ５と、操作者の指令を表示制御装置１に伝えるためのスイッチ６ａ，６ｂとを有する。たとえばディスプレイ３は、車両を運転する操作者が視認するメインディスプレイと後部座席に座る操作者が視認するサブディスプレイとから成る。
【００４１】
スイッチ６ａ，６ｂは、メインディスプレイに近接した位置に配置されるスイッチ６ａと、無線通信によって表示制御装置１に指令を送るリモートコントローラ、いわゆるリモコンに設けられるスイッチ６ｂとから成る。スイッチ６ａ，６ｂが操作者によって操作されることによって、操作者の指令が表示制御装置１に与えられる。
【００４２】
表示制御装置１は、静止画像２０を表す画像信号を受信する受信手段１６と、ディスプレイ３に部分画像２１を表示させるようにディスプレイ３を制御する制御手段１７と、操作者の指令を制御手段１７に与える入力手段１８とを備える。
【００４３】
受信手段１６は、アンテナ４が捕捉する複数のデジタル放送波から１つのチャネルのデジタル放送波を選択して受信するチューナ７と、選択したチャネルのデジタル放送波を復調する復調部８と、１つのチャネルに含まれる複数の番組から予め定められる番組を表す番組信号を抽出するトランスポートストリーム（Transport Stream、略称  ＴＳ）デコード９と、番組信号から画像を表す画像データを生成する映像デコード１０と、番組信号から音声を表す音声データを生成する音声デコード１１とを有する。
【００４４】
番組表示命令がスイッチ６ａ，６ｂを介して操作者から与えられると、チューナ７がアンテナ４から予め定められる番組が含まれるチャネルのデジタル放送波を受信し、受信したデジタル放送波を復調部８に与える。復調部８は、チューナ７から与えられるデジタル放送波を復調し、復調した信号をＴＳデコード９に与える。
【００４５】
ＴＳデコード９は、デジタル放送波に多重化されて放送される番組から予め定められる番組信号を抽出し、番組信号を音声デコード１１および映像デコード１０に与える。映像デコード１０は、番組信号から画像データを生成し、後述する提示処理部１２に与える。また音声デコード１１は、予め定められる番組の音声データを生成し、スピーカ５に与える。
【００４６】
制御手段１７は、少なくともディスプレイ３の表示に関する制御を行う中央演算装置１４（Central Processing、略称  ＣＰＵ）と、少なくともディスプレイ３の表示に関する表示プログラムが記憶される読み出し専用メモリ１３（Read Only Memory、略称  ＲＯＭ）と、ＣＰＵ１４の演算結果を書き込みおよび読出しするための随意読み出し書き込み可能メモリ１５（Random Access Memory、略称  ＲＡＭ）と、ＣＰＵ１４から表示に関する指令を受けてディスプレイ３を制御する提示処理部１２とを有する。
【００４７】
提示処理部１２には、ディスプレイ３に表示するための画像データを記憶する記憶手段である画像用メモリ（Video Random Access Memory、略称  ＶＲＡＭ）が設けられ、静止画像全体の画像サイズ分の画像データを記憶する静止画像記憶用ＶＲＡＭ１２ａと、ディスプレイ３の表示可能な画像サイズに縮小された画像データを記憶する全体表示用ＶＲＡＭ１２ｂとを有する。
【００４８】
提示処理部１２は、映像デコード１０から画像データを受けて、画像データを静止画像記憶用ＶＲＡＭ１２ａに記憶する。また提示処理部１２は、画像データを受けて、静止画像２０を縮小または拡大して、ディスプレイ一画面分の表示可能な画像サイズであるｎ２×ｍ２個の画素分の画像サイズに拡縮した画像データを全体表示用ＶＲＡＭ１２ｂに記憶する。
【００４９】
提示処理部１２は、部分画像２１を表示させる場合、静止画像記憶用ＶＲＡＭ１２ａの所定のアドレスに記憶される画像データの一部を読み出し、一部を示す部分画像データをディスプレイ３に与えて、ディスプレイ３に部分画像２０を表示させる。また静止画像２０を全体表示させる場合、全体表示用ＶＲＡＭ１２ｂから全画面表示に適した画像データを取出し、画像データをディスプレイ３に与えて、ディスプレイ３に静止画像２０を前面表示する。
【００５０】
提示処理部１２が受信した静止画像２０の画像データを静止画像記憶用ＶＲＡＭ１２ａに記憶することによって、受信手段１６は、部分画像２１を表示する毎にデジタル放送を受信する必要が無い。また提示処理部１２は、静止画像記憶用ＶＲＡＭ１２ａの画像データが格納されるアドレスを指定して、部分画像データを読み出し、部分画像２１をディスプレイ３に表示させる。したがって静止画像記憶用ＶＲＡＭ１２ａから画像データを取出すだけで、部分画像２１をディスプレイ３に表示することができ、画像表示に伴う提示処理部１２およびＣＰＵ１４の演算負荷が少なく、円滑な部分画像２１の移り変えを行うことができる。
【００５１】
また提示処理部１２が、全体表示用ＶＲＡＭ１２ｂに記憶されるデータを取出して、ディスプレイ３に与えることによって、短時間に部分表示状態から全体表示状態に表示状態を切換えることができる。
【００５２】
入力手段１８は、スイッチ６ａ，６ｂなどの指令手段に接続されるインターフェースであって、操作者の指令をスイッチ６ａ，６ｂを介して、制御手段１７に与える。表示制御装置１は、さらに電話通信回線に接続するための通信モデム１９を有し、インターネットなどの電話通信回線に接続されるネットワークにアクセスすることができる。
【００５３】
スイッチ６ａ，６ｂを介して入力手段１８から、操作者が所望するデジタル放送番組を表示する命令が、制御手段１７に入力されると、制御手段１７は、画像データを生成するように受信手段１６に命令を与え、受信手段１６から生成される画像データを受け取る。
【００５４】
制御手段１７は、受信手段１６が生成した画像データを受け取った後、提示処理部１２によって、選択される表示パターンにしたがって、画像がディスプレイ３に表示されるように、ディスプレイ３を制御する。たとえば制御手段１７は、静止画像２０の画像領域が、ディスプレイ３の表示可能領域を超える場合、静止画像記憶用ＶＲＡＭ１２ａに記憶される画像データから、ディスプレイ３の表示可能領域分の画素から成る部分画像２１に対応する部分画像データを変更可能に読み出し、読み出した部分画像データの表す部分画像を表示するように、ディスプレイ３を制御する。また制御手段１７は、ＲＯＭ１３に記憶される複数の表示パターンを表す表示プログラムに基づいて、表示パターンを設定する。
【００５５】
制御手段１７は、静止画像２０から抜き出した部分画像２１をディスプレイ３に表示させることによって、静止画像２０の画像領域がディスプレイ３の表示可能な画像領域よりも大きい場合であっても、静止画像２０を縮小することなくディスプレイ３に表示させることができる。これによってディスプレイ３の視認性を向上させることができる。
【００５６】
制御手段１７は、ＲＯＭ１３に記憶される表示プログラムに従って、ディスプレイ３に部分画像２１を順に移り変えて表示させる。これによって画像が順に移り変わるような表示パターンを、操作者が手動操作で入力する必要がなく、利便性を向上させることができる。
【００５７】
図３は、デジタル放送用表示装置２を示す正面図である。デジタル放送用表示装置２の正面には、メインディスプレイ３と、メインディスプレイ３に近接した位置に配置されるスイッチ６ｂとが設けられる。各スイッチ６ｂは、たとえば部分画像２１を抜き出す部分を操作者が手動で選択するための手動選択スイッチ３３と、部分画像２１に対して順に移り変わる移り変わり方向上流側の部分の部分画像２１を表示するプレイバック表示の指令を行うバックスイッチ３４と、予め定められる表示パターンに従って部分画像２１を逆方向に順に移り変えるスクロールリバース表示の指令を行うリバーススイッチ３５と、予め定められる初期位置にある部分画像２１を表示させるスクロールリセット表示の指令を行うリセットスイッチ３６と、部分画像２１の移り変わりを停止させるためのストップスイッチ３７と、予め定められる複数の表示パターンのうちからいずれかを選択するためおよび表示パターンを設定するためのメニュースイッチ３８とを含む。
【００５８】
操作者が各スイッチ６ｂを押圧して、表示パターンの変更を指令する場合、制御手段１７は、操作者の指令に応じて表示パターンを変更する。たとえば操作者が、手動選択スイッチ３３を操作して所望の部分画像２１を抜き出す指令を与えることによって、表示手段１７は、指令された部分画像２１を表示するようにディスプレイ３を制御する。これによって操作者は、所望する部分の部分画像２１をディスプレイ３で視認することができる。
【００５９】
また操作者が、バックスイッチ３４を押圧して、プレイバック表示を行う指令を与えることによって、制御手段１７は、プレイバック表示を行うようにディスプレイ３を制御する。これによってディスプレイ３は、表示されている部分画像２１に対して部分画像２１が順に移り変わる移り変わり方向上流側の部分画像２１を表示し、操作者が見逃した部分画像２１を再び視認することができる。また制御手段１７は、プレイバック表示した後、プレイバック表示した部分画像から再び予め定められる表示パターンに従って部分画像が順に移り変わるように、デ
ィスプレイ３を制御する。
【００６０】
また制御手段１７は、プレイバック表示する部分画像２１を指定可能に構成される。たとえば制御手段１７は、表示されている部分画像２１に対して、設定時間だけ前に表示された部分画像２１を表示するように、ディスプレイ３を制御する。前記設定時間は、スイッチ６ａ，６ｂを介して、制御手段１７に入力される。これによって操作者に応じてプレイバック表示する部分画像２１を設定することができ、操作者が見逃した部分画像２１をより確実にディスプレイ３に表示させることができる。
【００６１】
また操作者が、リバーススイッチ３５を押圧して、スクロールリバース表示を行う指令を与えることによって、制御手段１７は、スクロールリバース表示を行うようにディスプレイ３を制御する。これによってディスプレイ３は、部分画像２１が静止画像内を逆方向に移り変わって表示されるようにディスプレイ３を制御する。
【００６２】
また操作者がリバーススイッチ３５に操作力を与えている間、スクロールリバース表示の指令を制御手段１７に与え、制御手段１７は、スクロールリバース表示の指令を受けている間、ディスプレイ３にスクロールリバース表示するように制御する。
【００６３】
また操作者が、リセットスイッチ３６を押圧して、スクロールリセット表示の指令を与えることによって、制御手段１７は、予め定める初期位置にある部分画像２１を表示させるようにディスプレイ３を制御する。制御手段１７がスクロールリセット表示の指令を与えることによって、初期位置の部分画像２１を抜き出し、部分画像２１を抜き出している部分が静止画像２０に対してどの位置にあるかを操作者に理解させることができる。
【００６４】
また操作者がストップスイッチ３７を押圧して、部分画像２１の移り変わりを停止して同一の部分画像２１を表示する指令を与えることによって、制御手段１７は、同一の部分画像２１を表示するようにディスプレイ３を制御する。これによって操作者は、同一の部分画像２１をディスプレイ３で長時間視認することができ、画像の視認性をより確実にすることができる。
【００６５】
またディスプレイ３には、表示されている部分画像２１の静止画像２０に対する位置情報を数値で表示する位置情報表示部分３９が設けられ、制御手段１７が、位置表示部分３９に部分画像２１の位置情報を表示させる。位置情報は、たとえば部分画像２１に予め定められる基準位置の、静止画像２０における主走査方向位置と副走査方向位置とで表される。これによって操作者に現在表示されている部分画像２１が静止画像２０に対してどの部分を抜き出しているかを操作者に知らせることができる。たとえば静止画像２０の図心を原点として、原点から部分画像２１の主走査および副走査方向の座標位置を±表示する。
【００６６】
図４は、静止画像２０を部分表示した状態と全体表示した状態とを示す図であり、図４（１）は静止画像２０を示し、図４（２）は静止画像２０を部分表示した状態を示し、図４（３）は静止画像２０を全体表示した状態を示す。
【００６７】
制御手段１７は、図４（２）に示すように、放送時に設定される静止画像２０の画像サイズを縮小せずに、静止画像２０から部分画像２１を抜き出して表示する部分表示状態でディスプレイ３に画像を表示させるとともに、図４（３）に示すように、静止画像２０の画像サイズを縮小して、ディスプレイ３の表示領域に収まるように静止画像２０全体を表示する全体表示状態でディスプレイ３に画像を表示させる。
【００６８】
静止画像２０の主走査方向に並ぶ画素の数をｎ１とし、副走査方向に並ぶ画素の数をｍ１とし、ディスプレイ３の主走査方向に表示可能な画素の数をｎ２とし、副走査方向に表示可能な画素の数をｍ２とすると、全体表示状態では、たとえば静止画像２０をｎ１／ｎ２または静止画像をｍ１／ｍ２に縮小してディスプレイ３に表示し、静止画像２０の画素の数をｎ３×ｍ３に変更した画像をディスプレイ３に表示する。また全体表示状態において静止画像２０を縮小する比率は、主走査方向と副走査方向とで異なった比率で縮小してもよく、また同じ比率で縮小してもよい。
【００６９】
制御手段１７は、部分表示状態と全体表示状態とが切り換るように予め定める表示パターンを設定することができるとともに、操作者の手動操作によって、部分表示状態と全体表示状態とを切換えて表示することができる。
【００７０】
たとえば部分表示と全体表示とが周期的に繰り返される表示パターンが選択されると、制御手段１７は、部分表示状態として部分画像２１をディスプレイ３に表示させ、部分画像２１を順に移り変え、静止画像２０のすべての画素を少なくとも一度ディスプレイ３に表示させると、全体表示状態に切換える。次に制御手段１７は、ディスプレイ３に全体表示状態で表示させ、所定時間経過すると、再び部分表示状態で表示させる。
【００７１】
このように部分表示状態と全体表示状態とを周期的に繰り返して静止画像２０を表示させることによって、静止画像２０のうちのどの部分を抜き出して部分画像２１を表示したかを操作者に認識させることができ、部分画像２１に対する操作者の理解度を向上させるように表示させることができる。
【００７２】
また制御手段１７は、部分表示状態および全体表示状態の表示のさせ方を操作者が設定可能に構成される。制御手段１７は、スイッチ６ａ，６ｂを介して、操作者の指令が与えられ、指令に応じた表示パターンを設定することができる。たとえば部分表示状態で、静止画像２０のすべての画素を少なくとも一度ディスプレイ３に表示させるように静止画像２０を一巡する表示パターンを、２度繰り返した後、全体表示状態で１０秒間維持する表示パターンを繰り返すように設定することができる。
【００７３】
このように表示パターンを操作者が設定可能に構成されることによって、操作者の好みに合わせて、部分表示状態および全体表示状態の表示パターンを設定することができ利便性を向上させることができるとともに、操作者の静止画像２０に対する視認性を向上させるように表示させることができる。
【００７４】
図５は、部分画像２１の静止画像２０に対する移り変わりを示す図である。表示制御装置１は、部分画像２１が静止画像内を予め定められる第１方向へ移り変わる第１スクロール表示する表示パターンと、第１方向とは異なる第２スクロール表示する表示パターンとを含む複数の表示パターンのうちから選択される表示パターンに従って、部分画像２１を抜き出す。たとえば第１方向は、静止画像２０の主走査方向Ｈであり、第２方向は、静止画像２０の副走査方向Ｖである。静止画像内に示される記号および図形が副走査方向Ｖに並ぶ場合には、部分画像２１が副走査方向Ｖに移り変わるように表示させることによって、操作者に静止画像２０の理解度を高めさせることができる。また静止画像２０に対して斜め方向および静止画像２０の図心を中心として回るように部分画像２１を移り変えてもよい。
【００７５】
このような表示パターンの設定は、操作者がスイッチ６ａ，６ｂから入力してもよく、また制御手段１７が、デジタル放送の番組内容および静止画像の画像サイズに応じて判断してもよい。
【００７６】
図６は、ページスクロール表示する部分画像２１の静止画像２０に対する移り変わりを示す図であり、時間が経過するとともに図６（１）から図６（３）に移り変わる。制御手段１７は、部分画像２０が静止画像内を連続的に移り変わる境界スクロール表示をする表示パターンと、部分画像２１が静止画像内を離散的に移り変わるページスクロール表示をする表示パターンとを含む表示パターンのうちから選択される表示パターンに従って部分画像２１を抜き出す。
【００７７】
ページスクロール表示では、図６に示すように、制御手段１７は、部分画像２１の予め定められる設定点２３が、順に移り変わる前後の部分画像２１において、互いに所定の間隔Ｌ１，Ｌ２をあけるように部分画像２１を順に移り変えてディスプレイ３に表示させる。
【００７８】
図７は、部分画像２１の移り変わり軌跡の重なり幅を示す図である。制御手段１７は、静止画像２０を移り変わる部分画像２１の移り変わり軌跡について、その軌跡が重なる幅Ｌ３を設定することができ、部分画像２１の移り変わり方向Ｆ上流側の部分画像２４と移り変わり方向下流側の部分画像２５において、互いに重なる幅を、操作者から指令される入力値に応じて設定可能に構成される。
【００７９】
図８は、ページスクロール表示における前後の部分画像の重なり幅を示す図である。制御手段１７は、ページスクロール表示において、順に移り変わる前後の部分画像２１が重なる部分の幅Ｌ４を設定することができ、前記重なる部分の幅を、部分画像２５の操作者から指令される入力値に応じて設定可能に構成される。
【００８０】
また制御手段１７は、ディスプレイ３のうち、部分画像２１を表示するための部分画像２１が表示される表示領域の全域に部分画像２１が表示されるようにディスプレイ３を制御する。したがって、部分画像２１が順に移り変わっても、また静止画像２０の画像サイズが異なっても、部分画像２１が表示される表示領域の全域には常に、部分画像２１が表示され、部分画像２１が表示される表示領域に部分画像が２１表示されない無駄な領域が生じることがない。
【００８１】
また制御手段１７は、上述するような予め定められる表示パターンに基づいて、静止画像２０を構成するすべての画素を少なくとも一度表示するように部分画像２１が静止画像２０を一巡するまでの時間を、操作者が希望する時間に設定することができる。設定された時間で、静止画像２０を一巡するように部分画像２１を順に移り変えるので、部分画像２１が移り変わる速度を操作者の好みに合わせることができる。また部分画像２１が移り変わる速度を、操作者が設定可能であってもよい。
【００８２】
また制御手段１７は、静止画像２０の内容に基づいて、複数の予め定められる表示パターンのうちから選択される表示パターンに従って、ディスプレイ３を制御する。たとえば静止画像２０の示す記号部分および図形部分が、静止画像２０の中心付近に集中している場合は、静止画像２０の中心付近の部分画像２１を重点的に抜き出すような表示パターンを設定する。
【００８３】
また制御手段１７が、番組信号から番組内容を知ることができる場合、その番組内容に応じた表示パターンを設定してもよい。たとえば制御手段１７が、受信したデジタル放送から表示する番組が天気予報番組であると知ることができる場合には、その天気予報番組に応じた予め定められる表示パターンを選択してもよい。また制御手段１７は、映像デコード１０によって抽出された画像信号から静止画像２０の画像サイズを知り、画像サイズ２０に基づいて表示パターンを選択してもよい。たとえば制御手段１７は、静止画像２０の画像サイズが大きいと判断した場合、部分画像２１を移り変える移り変え速度を高く設定する。
【００８４】
制御手段１７は、上述する表示パターンのうちのいずれかの表示パターンおよび上述する表示パターンを組合わせた表示パターンで部分画像２１を順に移り変えるようにディスプレイ３に表示させる。また制御手段１７は、スイッチ６ａ，６ｂなどを介して、表示パターンに従って表示される部分画像２１を、操作者の指令に応じて調整することができる。
【００８５】
図９は、制御手段１７の画像を表示する動作を示すフローチャートである。制御手段１７は、ステップａ０で、デジタル放送される番組をディスプレイ３に表示させる指令が操作者から与えられると、ステップａ１に進み、表示動作を開始する。
【００８６】
ステップａ１では、制御手段１７は、指定されるデータ放送番組を表示する指令を受けると、指定される番組の静止画像２０を表す画像信号を抽出するように受信手段１６に指令する。受信手段１６から静止画像２０を表す画像信号を受けるとステップａ２に進む。
【００８７】
ステップａ２では、静止画像２０を表示する表示パターンを選択する。制御手段１７は、静止画像２０に基づいて表示パターンを選択するかまたは操作者によって指定される表示パターンに基づいて、表示パターンを設定する。
【００８８】
静止画像２０に基づいて表示パターンを設定する場合、静止画像２０の画像サイズまたは静止画像２０が示すデータ放送番組の内容に基づいて、複数の予め定められる表示パターンのうちから、表示パターンを設定する。
【００８９】
操作者によって指定される表示パターンに基づいて表示パターンを設定する場合、制御手段１７は、操作者によって指定された表示パターンを実行させるような、表示パターンを設定する。このように静止画像２０を表示するための表示パターンを設定すると、ステップａ３に進む。
【００９０】
ステップａ３では、制御手段１７は、設定した表示パターンに従って、画像が移り変わるようにディスプレイ３を制御し、ディスプレイ３に画像を表示させる。制御手段１７は、静止画像２０の画像領域となる画素数ｎ１×ｍ１がディスプレイ３の表示可能領域の画素数ｎ２×ｍ２を超える場合、静止画像記憶用ＶＲＡＭ１２ａに記憶される画像データから、ディスプレイ３の表示可能領域分ｎ２×ｍ２の部分画像２１に対応する部分画像データを変更可能に読み出し、読み出した部分画像データの表す部分画像２１を表示するように、ディスプレイ３を制御する。
【００９１】
また部分画像２１をディスプレイ３に表示させる場合には、静止画像２０に対する部分画像２１の位置を演算し、演算結果をディスプレイ３の位置情報表示部分３９に表示し、ステップａ４に進む。
【００９２】
ステップａ４では、制御手段１７は、部分画像２１を表示中に、操作者からの指令があるか否かを判定する。スイッチ６ａ，６ｂなどを介して、操作者からの表示に関する指令がある場合には、ステップａ５に進み、操作者からの表示に関する指令がない場合には、ステップａ６に進む。
【００９３】
ステップａ５では、制御手段１７は、操作者の指令に応じた表示パターンを実行する。制御手段１７は、スイッチ６ａ，６ｂを介して入力される指令に応じてディスプレイ３の表示を変え、再びステップａ４に戻る。
【００９４】
ステップａ６では、画像表示を終了する指令を受けると、ステップａ７に進み、そうでない場合は、ステップａ４に戻り、再び予め定められる表示パターンに従って、画像が順に移り変わるように、ディスプレイ３を制御する。ステップａ７では、制御手段１７は、画像を表示する表示動作を終了する。
【００９５】
また制御手段１７は、車両が走行しているか否かを判断する信号を受けて、表示パターンを変更し、車両が走行中の場合には、同一の画像を表示する。たとえば車両が走行中の場合には、同一の部分画像２１を表示するようにディスプレイ３を制御する。またたとえば制御手段１７は、車両が走行中の場合には、全体表示状態で表示するように、ディスプレイ３を制御する。これによって車両を運転する操作者が走行中にディスプレイ３に表示される画像を意識することなく、運転操作を阻害されることがない。
【００９６】
また画像信号と文字信号とで表されるデータ放送番組を表示する場合、受信手段１６は、画像信号とともに、画像信号に対応付けて放送される文字データを表す文字信号を抽出する。制御手段１７は、受信手段１６から画像信号とともに文字信号が与えられ、静止画像２０に文字信号が表すキャラクタ２６を付加したキャラクタ付き静止画像２０を部分表示状態および全体表示状態でディスプレイ３に表示する。キャラクタ２６は、文字および記号などであり、書体、色、表示サイズなどのデータが受信時に予め設定されている。
【００９７】
図１０は、制御手段１７の画像信号に対応付けて文字信号が付加されるキャラクタ付き静止画像を表示する表示動作を示すフローチャートである。制御手段１７は、ステップｂ０で、受信手段１６から画像信号とともに文字信号を受けると、静止画像２０を表す画像信号に対応付けてキャラクタ２６を表示すると判断し、ステップｂ１に進み、キャラクタが付加されるキャラクタ付き画像をディスプレイ３に表示させる表示動作を開始する。
【００９８】
ステップｂ１では、受信時に予め設定された文字信号が表すキャラクタ２６の表示サイズおよび受信した静止画像２０の画像サイズを判断し、ステップｂ２に進む。ステップｂ２では、制御手段１７は、ディスプレイ３に表示するキャラクタ２６の表示サイズを変更する指令が操作者から与えられているか否かを判定する。キャラクタ２６の表示サイズを変更する指令が与えられている場合は、ステップｂ４に進み、そうでない場合は、ステップｂ３に進む。ステップｂ３では、受信時に予め設定される表示サイズでキャラクタ２６をディスプレイ３に表示するように設定し、ステップｂ６に進む。
【００９９】
ステップｂ４では、受信時にキャラクタ２６に予め設定される表示サイズと、静止画像２０の画像領域のサイズと、ＲＯＭ１３に予め記憶される書体データとに基づいて、キャラクタ２６の表示サイズを変更する。
【０１００】
たとえば受信時に１６×１６ドットの表示サイズに設定されるキャラクタ２６において、静止画像２０を１／２してディスプレイ３に表示させる場合は、８×８ドットの表示サイズを設定し、ステップｂ５に進む。
【０１０１】
ただしステップｂ３およびステップｂ４で設定されるキャラクタ２６の表示サイズのデータがＲＯＭ１３に記憶されていない場合は、ＲＯＭ１３に記憶されるキャラクタ２６のデータのうちで最も近い表示サイズが選択される。たとえば８×８ドットの表示サイズに設定される場合で、８×８ドットの表示サイズのキャラクタ２６のデータがＲＯＭ１３に記憶されておらず、４×４ドットの表示サイズキャラクタ２６のフォントデータと、１０×１０ドットの表示サイズのキャラクタ２６のフォントデータとを記憶している場合は、１０×１０ドットの表示サイズのキャラクタ２６で表示する。すなわち制御手段１７は、予め記憶するキャラクタ２６の表示サイズから適した表示サイズを選択し、その表示サイズでキャラクタ２６を表示する。
【０１０２】
ステップｂ５では、制御手段１７は、受信時に予め設定されるキャラクタ２６の表示サイズとは異なる表示サイズでキャラクタ２６を表示し、受信時に予め設定されるキャラクタ２６に対して、その書体および表示色の少なくともいずれか一方を異なるように差別化し設定し、ステップｂ６に進む。
【０１０３】
ステップｂ６では、設定した表示サイズ、書体、表示色に基づいて、キャラクタ２６を表示するように決定し、ステップｂ７に進む。ステップｂ７では、ステップｂ６で設定された条件で表示されるキャラクタ２６を、静止画像２０に付加して、キャラクタ２６が付加される静止画像２０を作成し、ステップｂ８に進む。
【０１０４】
ステップｂ８では、前述の図１０に示すように、静止画像２０を表示する表示パターンが設定され、設定される表示パターンに基づいて、キャラクタ２６が付加される静止画像２０に対する画像を表示し、ステップｂ９に進み、ステップｂ９で制御手段１７は動作を終了する。
【０１０５】
以上のように表示制御装置１によれば、静止画像２０を部分的に抜き出し、部分画像２１をディスプレイ３に表示させるので、静止画像２０に示される記号および図を縮小することなく表示することができる。これによって画像および文字が不鮮明になることを防止して、ディスプレイ３の視認性を向上させることができる。
【０１０６】
特に車両に搭載されるディスプレイ３においては、ディスプレイ３の視認性を向上させることで、ディスプレイ３に表示される画像の内容を操作者が瞬時に視認することができる。これによって操作者は、運転操作を阻害することなく部分画像２１に示される内容を確認することができる。
【０１０７】
また車両が走行中の場合、ディスプレイ３および操作者は、車両に応じて振動しており、ディスプレイ３に示される画像を視認する操作者の視認力が低下してしまう。表示制御装置１が、部分画像２１として静止画像２０に示される記号および図が不鮮明になることを防止することによって、振動による操作者の視認力の低下を補い、確実に静止画像の内容を操作者に視認させることができる。
【０１０８】
また表示制御装置１が、予め定められる表示パターンに従って、ディスプレイ３に部分画像２１を順に移り変えて表示させるので、操作者が部分画像２１を順に移り変える手動操作を行う必要がなく、利便性を向上させることができる。
【０１０９】
たとえば車両を運転する操作者は、運転操作を行うためにステアリングホイールおよびクラッチなどを握り、両腕で車両を操作している場合が多い。上述するようにディスプレイ３に表示される部分画像２１が、手動操作を必要とせずに順に移り変わることによって、運転者は、特別な操作を行うことなく、部分画像２１を移り変えることができ、利便性を向上することができる。
【０１１０】
また手動選択スイッチ３３、バックスイッチ３４、リバーススイッチ３５、ストップスイッチ３６などの、操作者の指令を伝える入力手段である各種スイッチ６ｂを有し、制御手段１７は、入力される各指令に従って、ディスプレイ３を制御する。
【０１１１】
たとえば走行中、走行準備中および停車中に操作者が視認することができなかった部分画像２１を、各種スイッチ６ｂによって操作者が指令を与えることによって、再び視認することができ、利便性を向上させることができる。またスイッチ６ｂを押圧するという単純な動作によって、見逃した部分画像２１を再びディスプレイ３に表示させることができるので、運転操作を阻害せずに、運転者が所望する部分画像２１をディスプレイ３に表示させることができる。
【０１１２】
走行準備中および停車中に静止画像２０に対してどの部分を抜き出している部分画像であるかを操作者が見失った場合に、スクロールリセット表示の指令を与えることによって、操作者に部分画像２１を抜き出している部分を確認させることができる。またストップスイッチ３７によって順に移り変わる部分画像２１を停止させることによって、走行状態から停車状態に移行して、停止した部分画像２１を見逃すことなく確実に視認することができる。
【０１１３】
また部分表示状態および全体表示状態との切換え表示、境界スクロール表示、ページスクロール表示、部分画像２１の移り変わり方向を指定するスクロール表示および移り変わり軌跡の重なり幅を指定するスクロール表示などの上述する表示パターンを操作者が設定可能に構成されるので、操作者の好みおよび操作者が画像を視認しやすい表示パターンに設定することができ、より視認性を向上することができる。また設定された表示パターンで部分画像２１が表示されている状態であっても、操作者が各種スイッチ６ｂを操作することによって表示状態を変更することができ、利便性を向上させることができる。
【０１１４】
また受信時に予め設定されたキャラクタ２６の表示サイズでキャラクタ２６をディスプレイ３に表示させることができるので、静止画像２０が縮小されて全体表示状態で静止画像２０が表示される場合であっても、キャラクタ２６を縮小せずに表示することができる。これによってキャラクタ２６が不鮮明になることを防止して、キャラクタ２６の視認性を向上させることができる。
【０１１５】
また受信時に予め設定されたキャラクタ２６の表示サイズを変更して文字データをディスプレイ３にさせる場合、ＲＯＭ１３に記憶されるキャラクタ２６のデータに基づいて、キャラクタ２６の表示サイズを設定してもよい。予め記憶されるキャラクタ２６のデータのうちから画像サイズに基づいた表示サイズのキャラクタ２６を用いることによって、キャラクタ２６の視認性を向上させることができる。
【０１１６】
さらに表示サイズを変更したキャラクタ２６の書体および表示色の少なくともいずれか一方を異なるように差別化することによって、意識的に差別化したキャラクタ２６に変更してディスプレイ３に表示させることができる。これによって操作者に、表示サイズの変更が故障ではないと判断させることができ、全体表示状態で表示した場合にキャラクタ２６を視認した操作者が戸惑うおそれをなくすことができる。また全体表示した場合にキャラクタ２６を確認した場合の視認性が高くなる書体および色に設定することによってより視認性を向上することができる。
【０１１７】
図１１は、本発明の実施の他の形態であるデジタル放送受信表示システム５０を示す正面図である。デジタル放送受信表示システム５０は、上述するデジタル放送受信表示システム２とほぼ同様の構成を示す。デジタル放送受信表示システム５０は、ディスプレイ３に静止画像２０に対する部分画像２１の位置を数値表示するのではなく、簡略図で表示する。その他の構成については、上述するデジタル放送受信表示システム２と同様であり説明を省略し、同一の構成については、同一の参照符号を付す。
【０１１８】
制御手段１７は、部分画像２１を表示する部分表示状態において、ディスプレイ３の表示領域の一部に、静止画像２０を縮小し、簡略表示した簡略静止画像５１と、簡略静止画像５１内に、現在表示されている部分画像５２の位置を示す簡略部分画像５２とを追加してディスプレイ３に表示させる。具体的には、静止画像２０の画素数を縮小して、画素数がｎ４×ｍ４の簡略静止画像５１を表示領域に表示させ、簡略静止画像内に部分画像２１の画素数を縮小して、画素数がｎ５×ｍ５の簡略部分画像５２を表示する。簡略静止画像５１および簡略部分画像５２は、略矩形状に表示される。
【０１１９】
簡略静止画像５１に対する簡略部分画像５２の位置は、表示している部分画像２１に対する静止画像２０に対応して表示される。すなわち制御手段１７は、いわゆるピクチャオンピクチャ（Picture on Picture、略称ＰｏｎＰ）表示させるようにディスプレイ３を制御する。これによって表示される部分画像２１の静止画像２０に対する位置をより短時間に視認させることができる。
【０１２０】
以上のような本発明の表示制御装置１は、発明の一例示に過ぎず、発明の範囲内において構成を変更してもよい。たとえば受信した静止画像２０が、ディスプレイ３の画像サイズよりも小さい場合には、静止画像２０を拡大して部分表示状態および全体表示状態を設定してもよい。また操作者が指定した表示サイズで静止画像２０に付加されるキャラクタ２６のサイズを設定してもよい。
【０１２１】
また車両走行中において、より視認性を向上するために、画像を簡略化した静止画像２０または文字数を減少させた文字データを表示し、走行停止中に詳しい静止画像２０および文字データを表示するように表示パターンを切換えてもよい。
【０１２２】
また表示制御装置１は、キャラクタ２６を受信時に予め設定される表示サイズで表示する場合、静止画像２０を全体表示状態で表示する場合と、部分表示状態で表示する場合とで、書体および色の少なくともいずれか一方が異なるように文字データ表示してもよい。また部分表示状態および全体表示状態のいずれであっても、受信時に予め定められるキャラクタ２６のデータに対して、書体および色を異なるように表示してもよい。
【０１２３】
また表示制御装置１は車両に搭載されるディスプレイ３を制御するほか、携帯情報端末などの携帯用ディスプレイを制御してもよく、画像サイズが小さいディスプレイ３において、デジタル放送を好適に表示させることができる。また表示する画像は、静止画像でなく動画であってもよい。
【図面の簡単な説明】
【０１２４】
【図１】本発明の実施の一形態であるデジタル放送用表示制御装置１を含むデジタル放送用表示装置２の構成を示すブロック図である。
【図２】デジタル放送用表示制御装置１によって制御されるディスプレイの表示状態の移り変わりを示す図である。
【図３】デジタル放送用表示装置２を示す正面図である。
【図４】放送画像２０を部分表示した状態と全体表示した状態とを示す図である。
【図５】部分画像２１の放送画像２０に対する移り変わりを示す図である。
【図６】ページスクロール表示する部分画像２１の放送画像２０に対する移り変わりを示す図である。
【図７】部分画像２１の移り変わり軌跡の重なり幅を示す図である。
【図８】ページスクロール表示における前後の部分画像の重なり幅を示す図である。
【図９】制御手段１７の画像を表示する動作を示すフローチャートである。
【図１０】制御手段１７の画像信号に対応付けて文字信号が付加されるキャラクタ付き静止画像２０を表示する表示動作を示すフローチャートである。
【図１１】本発明の実施の他の形態であるデジタル放送受信表示システム５０を示す正面図である。
【図１２】デジタル放送される放送波に含まれる信号を示す図である。
【符号の説明】
【０１２５】
１  表示制御装置
２，５０  デジタル放送用表示装置
３  ディスプレイ
４  アンテナ
５  スピーカ
６  スイッチ
７  チューナ
８  復調部
９  ＴＳデコード
１０  映像デコード
１１  音声デコード
１２  提示処理部
１２ａ  静止画像記憶用ＶＲＡＭ
１２ｂ  全体表示用ＶＲＡＭ
１３  ＲＯＭ
１４  ＣＰＵ
１５  ＲＡＭ
１６  受信手段
１７  制御手段
１８  入力手段
２０  静止画像
２１  部分画像
２６  キャラクタ
３９  位置情報表示部分
【図１】
2007110750.tif 000003
【図２】
2007110750.tif 000004
【図３】
2007110750.tif 000005
【図４】
2007110750.tif 000006
【図５】
2007110750.tif 000007
【図６】
2007110750.tif 000008
【図７】
2007110750.tif 000009
【図８】
2007110750.tif 000010
【図９】
2007110750.tif 000011
【図１０】
2007110750.tif 000012
【図１１】
2007110750.tif 000013
【図１２】
2007110750.tif 000014